(57)【要約】  本発明は、携帯通信技術の分野に属し、かつ、特に携帯端末暗号方式、ハードウェア暗号化デバイス及び携帯端末を開示しており、ハッカーが携帯端末の中の鍵データを容易に取得又は改ざんすることを防止し、かつ、端末製品の利益を保護することを目的とする。実施形態における方法は、記憶された認証データに基づいて携帯端末のハードウェア暗号化デバイスと主制御チップとの間の認証を実行するステップであって、前記ハードウェア暗号化デバイスは、暗号データ及び認証データを記憶しているステップと、もし認証が成功した場合、ハードウェア暗号化デバイスによって主制御チップが暗号データをロードすることを許可するステップと、もし認証が失敗した場合、ハードウェア暗号化デバイスによって、主制御チップが暗号データをロードすることを禁止するステップと、を含む。本発明の実施形態は、携帯端末暗号技術及びネットワークロック技術に適用されてもよい。
2014509808.tif 000002
【特許請求の範囲】
【請求項１】
携帯端末暗号方式であって、
記憶された認証データに基づいて、携帯端末のハードウェア暗号化デバイスと主制御チップとの間の認証を実行するステップであって、前記ハードウェア暗号化デバイスは、暗号データ及び前記認証データを記憶しているステップと、
もし前記認証が成功した場合、前記ハードウェア暗号化デバイスによって、前記主制御チップが前記暗号データをロードすることを許可するステップと、
もし前記認証が失敗した場合、前記ハードウェア暗号化デバイスによって、前記主制御チップが前記暗号データをロードすることを禁止するステップと、
を含む携帯端末暗号方式。
【請求項２】
前記暗号データは、
前記携帯端末の正常な起動を実行する重要なプログラムコードと、
前記携帯端末の正常な動作を実行するための鍵データと、
前記携帯端末のＳＩＭカードロック機能を実行するためのオペレータのネットワーク・ロック・セグメント情報、
の１又は１以上を含むがこれらに限定しない、請求項１に記載の携帯端末暗号方式。
【請求項３】
前記認証データは、前記携帯端末についてボードソフトウェア要約情報を含み、
記憶された認証データに基づいて、携帯端末のハードウェア暗号化デバイスと主制御チップとの間の認証を実行する前記ステップは、
前記ハードウェア暗号化デバイスによって、記憶されたボードソフトウェア要約情報を前記主制御チップによって計算された前記携帯端末についての前記ボードソフトウェア要約情報と比較するステップと、
もし前記比較が正しい場合、前記認証は成功であると決定するステップと、
もし前記比較が正しくない場合、前記認証は失敗であると決定するステップと、
を含む、請求項１に記載の携帯端末暗号方式。
【請求項４】
前記暗号データに暗号レベルを設定するステップをさらに含み、
もし前記認証が成功した場合、前記ハードウェア暗号化デバイスによって、前記主制御チップが前記暗号データをロードすることを許可する前記ステップは、
各レベルの前記認証が成功した後、前記ハードウェア暗号化デバイスによって、前記主制御チップが前記対応するレベルの前記暗号データをロードすることを許可するステップと、
全てのレベルの前記認証が成功するまで、前記ハードウェア暗号化デバイスによって、前記主制御チップが全ての前記暗号データをロードすることを許可するステップと、
を含む、請求項１又は２に記載の携帯端末暗号方式。
【請求項５】
ソフトウェアの暗号化技術を使用することによって、前記暗号データを暗号化するステップをさらに含む、請求項１又は２に記載の携帯端末暗号方式。
【請求項６】
ハードウェア暗号化デバイスであって、
認証データ及び暗号データを記憶するように構成された記憶ユニットと、
前記記憶ユニットによって記憶された前記認証データに基づいて、携帯端末の主制御チップを用いて認証するように構成された認証ユニットと、
もし認証が成功した場合、前記主制御チップが前記記憶ユニットに記憶された前記暗号データをロードすることを許可し、かつ、もし前記認証が失敗した場合、前記主制御チップが、前記記憶ユニットに記憶された前記暗号データをロードすることを禁止するように構成された制御ユニットと、
を含む、ハードウェア暗号化デバイス。
【請求項７】
前記記憶ユニットに記憶された前記暗号データは、
前記携帯端末の正常な起動を実行するための重要なプログラムコードと、及び／又は、
前記携帯端末の正常な動作を実行するための鍵データと、及び／又は、
前記携帯端末のＳＩＭカードロック機能を実行するためのオペレータのネットワーク・ロック・セグメント情報
の１又は１以上を含むがこれに限定しない、請求項６に記載のハードウェア暗号化デバイス。
【請求項８】
前記記憶ユニットに記憶された前記認証データは、前記携帯端末についてのボードソフトウェア要約情報を含み、
前記認証ユニットは、特に、前記記憶ユニットに記憶されたボードソフトウェア要約情報を、前記携帯端末の前記主制御チップによって計算された前記携帯端末についての前記ボードソフトウェア要約情報と比較するとともに、もし前記比較が正しければ前記認証が成功であると決定し、かつ、もし前記比較が正しくなければ前記認証が失敗であると決定するように構成される、
請求項６又は７に記載のハードウェア暗号化デバイス。
【請求項９】
暗号レベルが、前記記憶ユニットの中に記憶されている前記暗号データに設定されており、かつ、
前記制御ユニットは、特に、各レベルの前記認証が成功した後に、前記主制御チップが前記対応するレベルの前記暗号データをロードすることを許可するとともに、
全てのレベルの前記認証が成功するまで、前記主制御チップが全ての前記暗号データをロードすることを許可するように構成される、
請求項６又は７に記載のハードウェア暗号化デバイス。
【請求項１０】
前記記憶ユニットに記憶された前記暗号データは、ソフトウェアの暗号化技術の使用によって暗号化される、請求項６又は７に記載のハードウェア暗号化デバイス。
【請求項１１】
前記主制御チップは、前記ハードウェア暗号化デバイスを用いて認証し、かつ、
前記認証が成功した後、前記ハードウェア暗号化デバイスに記憶された前記暗号データをロードするように構成された、
請求項６から１０のいずれか一項に記載の前記主制御チップ及び前記ハードウェア暗号化デバイスを含む携帯端末。
【発明の詳細な説明】
【技術分野】
【０００１】
本願は、２０１１年３月３１日に発明の名称を“携帯端末暗号方式、ハードウェア暗号化デバイス及び携帯端末”とする中国特許出願第２０１１１００８０７４５．Ｘ号に基づく優先権を主張するとともに、参照により、その全体がここに組み込まれる。本発明は、携帯通信技術の分野に関連し、特に、携帯端末暗号方式、ハードウェア暗号化デバイス及び携帯端末に関する。
【背景技術】
【０００２】
現在、多くの暗号方式は、携帯端末に記憶されたデータ又はファイルを保護するだけであるが、携帯端末についての例えばネットワークロック情報などの鍵データを保護することはできない。それゆえ、携帯端末製品が異なる市場に売却された後、ボードソフトウェア又はデータは、ハッカーによって容易に取得又は改ざんされる。
【発明の概要】
【課題を解決するための手段】
【０００３】
本発明は、携帯端末暗号方式、ハードウェア暗号化デバイス及び携帯端末を提供しており、ハッカーが携帯端末の中の鍵データを容易に取得又は改ざんすることを防止することができる。
【０００４】
本発明の態様は次の技術的解決策を採用する。
【０００５】
携帯端末暗号方式は、
ハードウェア暗号化デバイスの中の認証データ及び暗号データを記憶するステップと、
前記認証データに基づいて、携帯端末のハードウェア暗号化デバイスと主制御チップとの間の認証を実行するステップと、
前記ハードウェア暗号化デバイスによって、もし前記認証が成功した場合、前記主制御チップが前記暗号データをロードすることを許可するとともに、前記ハードウェア暗号化デバイスによって、もし前記認証が失敗した場合、前記主制御チップが前記暗号データをロードすることを禁止するステップと、を含む。
【０００６】
ハードウェア暗号化デバイスであって、
認証認証データ及び暗号データを記憶するように構成された、記憶ユニットと、
前記記憶ユニットによって記憶された認証データに基づいて、携帯端末の主制御チップを使用して認証するように構成された、認証ユニットと、
もし前記認証が成功した場合、前記主制御チップが前記記憶ユニットに記憶された暗号データをロードすることを許可するとともに、もし前記認証が失敗した場合、前記主制御チップが前記記憶ユニットに記憶された暗号データをロードすることを禁止するように構成された制御ユニットと、を含む。
【０００７】
携帯端末は、主制御チップ及びハードウェア暗号化デバイスを含み、前記主制御チップは、ハードウェア暗号化デバイスを用いて認証し、かつ、認証が成功した後に前記ハードウェア暗号化デバイスに記憶された暗号データをロードするように構成される。
【０００８】
本発明の前述した態様の技術的解決策から分かるように、認証データ及び暗号データはハードウェア暗号化デバイスに記憶され、かつ、前記携帯端末が起動する度に前記携帯端末のハードウェア暗号化デバイスと主制御チップとの間の認証が実行される。前記認証が成功したときにのみ、前記ハードウェア暗号化デバイスは、前記主制御チップが暗号データをロードすることを許可する。それゆえに、異なる要求に基づいて、端末製品及びオペレータは、前記ハードウェア暗号化デバイスの中に、暗号データとして携帯端末の鍵データを保存し、かつ、ハードウェア暗号化技術を使用することによって、前記携帯端末の鍵データを保護することができ、それによって、携帯端末の鍵データをハッカーが容易に取得又は改ざんすることを防止するという目的を達成する。
【図面の簡単な説明】
【０００９】
本発明の技術的解決策をより明瞭に説明するために、実施形態の説明に必要となる添付図面を以下に簡潔に紹介する。
【図１】本発明の一実施形態に基づく携帯端末暗号方式の概略的なフローチャートである。
【図２】本発明の一実施形態に基づく認証方法の概略図である。
【図３】本発明の一実施形態に基づく別の認証方法の概略図である。
【図４】本発明の一実施形態に基づくハードウェア暗号化デバイスの機能ユニットの概略図である。
【図５】本発明の一実施形態に基づく携帯端末の構造概略図である。
【発明を実施するための形態】
【００１０】
理解を容易にするために、本発明の実施形態において提供される技術的解決策は、以下に添付図面を参照しながら明瞭かつ十分に説明される。明らかに、以下に説明される実施形態は、実施形態の全てというよりはむしろ、単なる実施形態の一部である。本発明の実施形態に基づいて当業者によって創造的努力なしに取得される他の全ての実施形態は、本発明の保護範囲内であるべきである。
【００１１】
図１に示されるように、本発明の実施形態は携帯端末暗号方式を提供し、以下を含む。
【００１２】
ステップ１１：記憶された認証データに基づいて、携帯端末のハードウェア暗号化デバイスと主制御チップとの間の認証を実行し、前記ハードウェア暗号化デバイスは、暗号データ及び前記認証データを記憶している。
【００１３】
ステップ１２：もし、前記認証が成功した場合、前記ハードウェア暗号化デバイスは、前記主制御チップが前記暗号データをロードすることを許可する。
【００１４】
ステップ１３：もし、前記認証が失敗した場合、前記ハードウェア暗号化デバイスは、主制御チップが前記暗号データをロードすることを禁止する。
【００１５】
前述から、端末製品及びオペレータは、異なる要求に基づいて前記ハードウェア暗号化デバイスにおける暗号データとして前記携帯端末の鍵データを保存し、かつ、ハードウェア暗号化技術を用いることによって前記携帯端末の鍵データを保護することができ、それによって、ハッカーが前記携帯端末の鍵データを容易に取得又は改ざんすることを防止する目的が達成することができると分かる。
【００１６】
注目すべきは、前記ハードウェア暗号化デバイスに記憶された暗号データは、異なる暗号要求に基づいて決定されることができ、かつ、以下の情報を含むことができるが、これらに限定はされない。
【００１７】
（１）携帯端末の正常な起動を実行するための重要なプログラムコードであって、前記携帯端末のボードソフトウェアが改ざんされるとき、前記携帯端末の前記ハードウェア暗号化デバイスと前記主制御チップとの間の認証は、前記ハードウェア暗号化デバイスに記憶されている認証データを使用することによってパスすることができず、かつ、それゆえに、前記ハードウェア暗号化デバイスは、前記主制御チップが記憶された重要なプログラムコードをロードすることを禁止し、その結果、前記携帯端末は適切に起動することに失敗する。
【００１８】
（２）前記携帯端末の正常な動作を実行する鍵データであって、例えば、携帯端末周波数帯域の制御構成のためのＮＶアイテム又は無線周波数制御ピン構成情報がある。前記携帯端末のハードウェア暗号化デバイスと前記主制御チップとの間の認証が失敗するとき、前記主制御チップは前記携帯端末の正常な動作を実行するための鍵データをロードすることができず、その結果、携帯端末は特定の機能を実行することに失敗する。
【００１９】
（３）前記携帯端末のＳＩＭカードロック機能を実行するためのオペレータのネットワーク・ロック・セグメント（Network locking segment）情報であって、かつ、前記携帯端末のハードウェア暗号化デバイスと前記主制御チップとの間の認証が成功するとき、前記主制御チップは、オペレータの前記取得されたネットワーク・ロック・セグメント情報に基づいて、前記ＳＩＭカードが特定のオペレータのセグメントに属するか否かを決定し、それによって、前記携帯端末のＳＩＭカードロック機能を実行する。
【００２０】
携帯端末のハードウェア暗号化デバイスと主制御チップとの間の認証を実行するために、従来技術の常識として、例えば公開及び秘密鍵組の技術のような、ハードウェア暗号化技術が使用されている。
【００２１】
本発明の一実施形態において、携帯端末についてのボードソフトウェア要約情報がハードウェア暗号化デバイスに記憶されている。図２のように、認証の間での認証方法の概略図が示されている。その認証方法は以下のステップを含む。
【００２２】
ステップ２１：携帯端末の主制御チップは、前記携帯端末についてのボードソフトウェア要約情報を計算する。
【００２３】
ステップ２２：前記ハードウェア暗号化デバイスは、記憶されたボードソフトウェア要約情報と、前記主制御チップによって計算された前記携帯端末についての前記ボードソフトウェア要約情報を比較する。
【００２４】
ステップ２３：比較が正しいか否かを決定する。
【００２５】
ステップ２４：もし比較が正しい場合、認証は成功する。
【００２６】
ステップ２５：もし比較が正しくない場合、認証は失敗する。
【００２７】
前述の認証方法において、前記携帯端末のボードソフトウェアにおけるコードが改ざんされるとき、前記認証は、要約情報の正しくない比較が原因で失敗し、その結果、前記ハードウェア暗号化デバイスは、前記主制御チップが前記ハードウェア暗号化デバイスに記憶された暗号データをロードすることを禁止し、かつ、最終的に前記携帯端末は正常な実行に失敗し、それによって、ハッカーが前記携帯端末の鍵データを容易に取得することを防止する目的が達成される。
【００２８】
注目すべきは、例えば携帯端末がネットワークに接続される度のように、前記主制御チップが起動する度、又は、前記主制御チップがある関数を使用する必要がある度に、前記ハードウェア暗号化デバイスは前記携帯端末の主制御チップを用いて認証してもよい。さらに、前記認証は一度又は複数回実行されてもよい。
【００２９】
本発明の一実施形態において、セキュリティ暗号レベル及びアンチクラック困難性（anti-crack difficulty）をさらに改善するために、暗号レベルがハードウェア暗号化デバイスにおける前記暗号データに設定される。図３のように、認証の間での認証方法の概略図が示されている。その認証方法は以下のステップを含む。
【００３０】
ステップ３１：レベルごとに携帯端末のハードウェア暗号化デバイスと主制御チップとの間の認証を実行する。
【００３１】
ステップ３２：前記対応するレベルの認証が成功であるか否かを決定する。
【００３２】
ステップ３３：前記ハードウェア暗号化デバイスは、各レベルの認証が成功した後、主制御チップが対応するレベルの暗号データのみをロードすることを許可し、かつ、全てのレベルの認証がパスするまで前記主制御チップが全ての暗号データをロードすることを許可し、それによって、携帯端末の正常な起動又は正常な動作を実行する。
【００３３】
ステップ３４：任意レベルの前記認証が失敗するとき、前記主制御チップは再始動し、かつ、前記ハードウェア暗号化デバイスは前記主制御チップを用いて認証を続ける。失敗回数の数が特定の数に達したとき、例外処理が始まる。
【００３４】
本発明の他の実施形態において、セキュリティ暗号レベル及びアンチクラック困難性をさらに改善するために、ハードウェア暗号化デバイスに記憶されている暗号データを暗号化するために、ソフトウェアの暗号化技術が使用される。この方法において、もし、ハッカーが前記ハードウェア暗号化デバイスに記憶された暗号データをクラックする場合であっても、ソフトウェアの暗号化技術を使用することによって暗号化された暗号データは、前記主制御チップによってさらに復号化された後でしか使用できず、それによって、ハッカーが携帯端末の鍵データを容易に取得することを防止する目的が達成される。
【００３５】
図４に示されるように、本発明の実施形態は、ハードウェア暗号化デバイスを提供し、
【００３６】
認証認証データ及び暗号データを記憶するように構成された記憶ユニット４１と、
【００３７】
前記記憶ユニット４１によって記憶された前記認証データに基づいて、携帯端末の主制御チップを用いて認証するように構成された認証ユニット４２と、
【００３８】
もし前記認証が成功した場合、前記主制御チップが前記記憶ユニット４１に記憶された暗号データをロードすることを許可し、かつ、もし前記認証が失敗した場合、前記主制御チップが前記記憶ユニット４１に記憶された暗号データをロードすることを禁止するように構成された制御ユニット４３と、を含む。
【００３９】
前記記憶ユニット４１に記憶された前記暗号データは、次の１又は１以上を含むが、これに限定はされない。それは、前記携帯端末の正常な起動を実行する重要なプログラムコード、及び／又は、前記携帯端末の正常な動作を実行するための鍵データ、及び／又は、前記携帯端末のＳＩＭカードロック機能を実行するためのオペレータのネットワーク・ロック・セグメント情報である。
【００４０】
例えば、前記暗号データは、携帯端末周波数帯域の制御構成のためのＮＶアイテム又は無線周波数制御ピン構成情報であってもよく、かつ、前記携帯端末のハードウェア暗号化デバイスと前記主制御チップとの間の認証が失敗するとき、前記主制御チップは携帯端末の正常な動作を実行するための鍵データをロードすることができず、その結果、前記携帯端末は特定の機能の実行に失敗する。
【００４１】
別の例において、前記暗号データは、オペレータのネットワーク・ロック・セグメント情報であってもよく、かつ、前記携帯端末の前記ハードウェア暗号化デバイスと前記主制御チップとの間の認証が成功するとき、前記主制御チップは、オペレータの前記取得されたネットワーク・ロック・セグメント情報に基づいて、ＳＩＭカードが特定のオペレータのセグメントに属するか否かを決定し、それによって、前記携帯端末のＳＩＭカードロック機能を実行する。
【００４２】
一実施形態において、前記携帯端末のハードウェア暗号化デバイスと前記主制御チップとの間の認証を実行するために、記憶ユニット４１に記憶された認証データは、携帯端末についてのボードソフトウェア要約情報を含み、このとき、前記認証ユニット４２は、具体的には、記憶ユニット４１に記憶されたボードソフトウェア要約情報と携帯端末の主制御チップによって計算された携帯端末についてのボードソフトウェア要約情報とを比較し、かつ、もし比較が正しい場合は認証が成功したと決定し、かつ、比較が正しくない場合は認証が失敗したと決定するように構成される。このように、携帯端末のボードソフトウェアの中のコードが改ざんされるとき、前記認証は、要約情報の正しくない比較が原因で失敗し、かつ、前記制御ユニット４３は、主制御チップが前記ハードウェア暗号化デバイスに記憶された暗号データをロードすることを禁止し、最終的に前記携帯端末は正常な実行に失敗する。
【００４３】
一実施形態において、セキュリティ暗号レベル及びアンチクラック困難性をさらに改善するために、暗号レベルが前記記憶ユニットに記憶された暗号データに設定され、かつ、前記制御ユニット４３は、具体的には、各レベルの認証が成功した後に、主制御チップが対応するレベルの暗号データをロードすることを許可し、かつ、全てのレベルの認証が成功するまで前記主制御チップが全ての暗号データをロードすることを許可する。
【００４４】
他の実施形態において、セキュリティ暗号レベル及びアンチクラック困難性をさらに改善するために、記憶ユニット４１に記憶された暗号データを暗号化するためにソフトウェア暗号化技術が使用される。このように、もしハッカーが前記ハードウェア暗号化デバイスに記憶された暗号データをクラックしたとしても、ソフトウェアの暗号化技術の使用によって暗号化された暗号データは、前記主制御チップによってさらに復号化された後でしか使用できず、それによって、ハッカーが前記携帯端末の鍵データを容易に取得することを防止する目的が達成される。
【００４５】
本発明の前述した実施形態に示されるように、前記ハードウェア暗号化デバイスは、記憶ユニット４１を介して前記認証データ及び暗号データを記憶し、かつ、前記認証ユニット４２を介して前記携帯端末の主制御チップを用いて認証する。前記認証が成功したときのみ、制御ユニット４３は、主制御チップが暗号データをロードすることを許可する。それゆえ、端末製品及びオペレータは、異なる要求に基づいて、ハードウェア暗号化デバイスの中に、暗号データとして携帯端末の鍵データを保存し、かつ、ハードウェア暗号化技術の使用によって携帯端末の鍵データを保護してもよく、それによって、ハッカーが前記携帯端末の鍵データを容易に取得又は改ざんすることを防止する目的が達成される。
【００４６】
図５に示されるように、本発明の実施形態は携帯端末を提供し、主制御チップ及びハードウェア暗号化デバイスを含み、前記主制御チップは、ハードウェア暗号化デバイスを用いて認証し、かつ、前記認証が成功した後に前記ハードウェア暗号化デバイスに記憶された暗号データをロードするように構成される。ここでは、これ以上の説明はしない。
【００４７】
本発明の実施形態によって提供された、前記携帯端末暗号方式、前記ハードウェア暗号化デバイス、及び、前記携帯端末は、携帯端末暗号技術及びネットワークロック技術に使用されてもよい。
【００４８】
前述した説明は、本発明の単なる特定の実施方法であるが、本発明の保護範囲を限定することを意図していない。本発明に開示されている技術範囲内で当業者によって考えられる任意の変更又は置換は、本発明の保護範囲であるべきである。それゆえに、本発明の保護範囲は請求項の保護範囲によるものであるべきである。
【符号の説明】
【００４９】
４１  記憶ユニット
４２  認証ユニット
４３  制御ユニット
【図１】
2014509808.tif 000003
【図２】
2014509808.tif 000004
【図３】
2014509808.tif 000005
【図４】
2014509808.tif 000006
【図５】
2014509808.tif 000007
【手続補正書】
【提出日】平成25年10月8日(2013.10.8)
【手続補正１】
【補正対象書類名】明細書
【補正対象項目名】０００６
【補正方法】変更
【補正の内容】
【０００６】
ハードウェア暗号化デバイスであって、
認証データ及び暗号データを記憶するように構成された、記憶ユニットと、
前記記憶ユニットによって記憶された認証データに基づいて、携帯端末の主制御チップを使用して認証するように構成された、認証ユニットと、
もし前記認証が成功した場合、前記主制御チップが前記記憶ユニットに記憶された暗号データをロードすることを許可するとともに、もし前記認証が失敗した場合、前記主制御チップが前記記憶ユニットに記憶された暗号データをロードすることを禁止するように構成された制御ユニットと、を含む。
【手続補正２】
【補正対象書類名】明細書
【補正対象項目名】００１８
【補正方法】変更
【補正の内容】
【００１８】
（２）前記携帯端末の正常な動作を実行する鍵データであって、例えば、携帯端末周波数帯域の制御構成のためのＮＶアイテムデータ又は無線周波数制御ピン構成情報がある。前記携帯端末のハードウェア暗号化デバイスと前記主制御チップとの間の認証が失敗するとき、前記主制御チップは前記携帯端末の正常な動作を実行するための鍵データをロードすることができず、その結果、携帯端末は特定の機能を実行することに失敗する。
【手続補正３】
【補正対象書類名】明細書
【補正対象項目名】００３６
【補正方法】変更
【補正の内容】
【００３６】
認証データ及び暗号データを記憶するように構成された記憶ユニット４１と、
【手続補正４】
【補正対象書類名】明細書
【補正対象項目名】００４０
【補正方法】変更
【補正の内容】
【００４０】
例えば、前記暗号データは、携帯端末周波数帯域の制御構成のためのＮＶアイテムデータ又は無線周波数制御ピン構成情報であってもよく、かつ、前記携帯端末のハードウェア暗号化デバイスと前記主制御チップとの間の認証が失敗するとき、前記主制御チップは携帯端末の正常な動作を実行するための鍵データをロードすることができず、その結果、前記携帯端末は特定の機能の実行に失敗する。
【国際調査報告】
2014509808.tif 000008
2014509808.tif 000009
2014509808.tif 000010
2014509808.tif 000011